(57)【要約】  本発明の実施例による偏光板の粘着剤の流出の有無または流出の程度の定量化方法は、（ａ）粘着層を含む偏光板を用意するステップと、（ｂ）ガイド部に偏光板の一端部が接するように偏光板を提供するステップと、（ｃ）ガイド部上で偏光板を移動させるステップと、（ｄ）偏光板を移動させる間に偏光板とガイド部との間に作用する摩擦力を測定するステップと、（ｅ）測定された摩擦力の値に基づいて偏光板の粘着剤の流出の有無または流出の程度を判別できる判別基準を導出するステップとを含むことができる。
2021516371.tif 000002
【特許請求の範囲】
【請求項１】
（ａ）粘着層を含む偏光板を用意するステップと、
（ｂ）ガイド部に前記偏光板の一端部が接するように前記偏光板を提供するステップと、
（ｃ）前記ガイド部上で前記偏光板を移動させるステップと、
（ｄ）前記偏光板を移動させる間に前記偏光板と前記ガイド部との間に作用する摩擦力を測定するステップと、
（ｅ）前記測定された摩擦力の値に基づいて前記偏光板の粘着剤の流出の有無または流出の程度を判別できる判別基準を導出するステップとを含む偏光板の粘着剤の流出の有無または流出の程度の定量化方法。
【請求項２】
前記（ａ）ステップは、
前記偏光板の両面のいずれか一面と前記偏光板の裁断面とのなす角度が互いに異なる複数のタイプの偏光板の少なくとも１つを選択して用意するステップを含む、請求項１に記載の偏光板の粘着剤の流出の有無または流出の程度の定量化方法。
【請求項３】
前記（ｂ）ステップは、
前記偏光板の一端部に形成されたカールの大きさを調節するステップを含む、請求項１または請求項２に記載の偏光板の粘着剤の流出の有無または流出の程度の定量化方法。
【請求項４】
前記偏光板は、両面のいずれか一面に保護フィルム層が位置し、他の一面に離型フィルム層が位置する、請求項１〜３のいずれか一項に記載の偏光板の粘着剤の流出の有無または流出の程度の定量化方法。
【請求項５】
前記（ｃ）ステップは、
前記偏光板の両面のいずれか一面が向く第１方向、または他の一面が向く第２方向に沿って前記偏光板を移動させる、請求項１〜４のいずれか一項に記載の偏光板の粘着剤の流出の有無または流出の程度の定量化方法。
【請求項６】
前記（ｅ）ステップは、
前記偏光板を前記第１方向に移動させる間に測定された摩擦力の値と、前記偏光板を前記第２方向に移動させる間に測定された摩擦力の値との差を算出するステップを含む、請求項５に記載の偏光板の粘着剤の流出の有無または流出の程度の定量化方法。
【請求項７】
前記（ｅ）ステップは、
前記ガイド部上に前記偏光板の粘着剤が流出したか否かを確認するステップを含み、前記偏光板の粘着剤が流出した場合の摩擦力の情報と、前記偏光板の粘着剤が流出しない場合の摩擦力の情報とに基づいて前記偏光板の粘着剤の流出の有無を判別できる判別基準を導出する、請求項１〜６のいずれか一項に記載の偏光板の粘着剤の流出の有無または流出の程度の定量化方法。
【発明の詳細な説明】
【技術分野】
【０００１】
本発明は、偏光板の粘着剤の流出の有無または流出の程度の定量化方法に関し、より詳細には、偏光板とガイド部との間に作用する摩擦力測定値から粘着剤の流出判別基準を導出した偏光板の粘着剤の流出の有無または流出の程度の定量化方法に関する。
【背景技術】
【０００２】
偏光板は、全方向に振動する光を特定方向にのみ振動するように偏光させて所望の映像を実現させる構成であって、液晶表示装置（ＬＣＤ、Ｌｉｑｕｉｄ  Ｃｒｙｓｔａｌ  Ｄｉｓｐｌａｙ）パネルの両側に貼り付けられる。
【０００３】
偏光板１００は、図１に示されるように、ＰＶＡ素材からなる偏光子層１３０と、偏光子層１３０の両面に貼り付けられた上下部支持体層１２０、１４０と、上部支持体層１２０の上部に形成され、温度または湿度のような外部環境から偏光子層１３０を保護するための保護フィルム層１１０と、下部支持体層１４０の下部に形成される粘着層１５０と、粘着層１５０の下部に形成され、粘着層１５０を保護する離型フィルム層１６０とを含む積層構造からなる。
【０００４】
偏光板１００は、現場の生産ラインで量産されて適用製品の大きさに合わせて裁断された後にパネルに貼り付けられるが、偏光板１００を裁断する過程、そして搬送設備１に沿って偏光板１００を搬送させる過程で、図２のように、粘着層１５０から粘着剤１５１が流出することがある。特に、ＴＶパネルに用いられる大型偏光板１００の場合には、複数の偏光板１００を積層して保管するか積層させた状態で搬送させる時、下部に位置した偏光板１００に過度の荷重が加えられて、粘着剤１５１の流出がさらに問題化する。
【０００５】
偏光板１００の粘着層１５０の厚さは約２０μｍ水準で、裁断または搬送過程で偏光板１００から一度に多量の粘着剤１５１が流出するわけではないが、搬送設備１は一度固定設置されると変更が困難になり、搬送設備１上に微量の粘着剤１５１が流出するだけでも、偏光板１００が貼付工程やクリーニング工程のための意図した位置に正確に配置できず、製品の不良を引き起こすことがある。
【０００６】
従来は、このような粘着剤の流出の程度を改善するために、粘着剤に含まれたセグメントの組成比率を変更してハードな形態の粘着剤を使用したりしていたが、この場合、バルクモジュラス（ｂｕｌｋ  ｍｏｄｕｌｕｓ）の増加による粘着力の低下、耐久性悪化などの問題が発生した。
【０００７】
一方、粘着剤の流出の程度は、粘着剤の成分を変更する以外にも、偏光板の裁断面の形状（例えば、テーパ（Ｔａｐｅｒ）角度）または偏光板のたわみあるいは垂れ下がり現象によって発生するカールの大きさなどに応じて異なり得る。したがって、粘着剤の流出問題を解決するためには、偏光板の裁断面の形状およびカールの大きさ条件によって粘着剤の流出がどれほど起こるかに関する分析が先行されていなければならない。
【発明の概要】
【発明が解決しようとする課題】
【０００８】
本発明は、上記の問題点を解決するためになされたものであって、搬送設備上で偏光板が移動する状況を偏光板とガイド部とを備える装置で模式化して、偏光板とガイド部との間に作用する摩擦力の大きさを測定し、摩擦力測定値に基づいて粘着剤の流出に対する判別基準を導出した偏光板の粘着剤の流出の有無または流出の程度の定量化方法を提供することを目的とする。
【課題を解決するための手段】
【０００９】
本発明の実施例による偏光板の粘着剤の流出の有無または流出の程度の定量化方法は、（ａ）粘着層を含む偏光板を用意するステップと、（ｂ）ガイド部に偏光板の一端部が接するように偏光板を提供するステップと、（ｃ）ガイド部上で偏光板を移動させるステップと、（ｄ）偏光板を移動させる間に偏光板とガイド部との間に作用する摩擦力を測定するステップと、（ｅ）測定された摩擦力の値に基づいて偏光板の粘着剤の流出の有無または流出の程度を判別できる判別基準を導出するステップとを含むことができる。
【００１０】
本実施例において、（ａ）ステップは、偏光板の両面のいずれか一面と偏光板の裁断面とのなす角度が互いに異なる複数のタイプの偏光板の少なくとも１つを選択して用意するステップを含むことができる。
【００１１】
本実施例において、（ｂ）ステップは、偏光板の一端部に形成されたカールの大きさを調節するステップを含むことができる。
【００１２】
本実施例において、偏光板は、両面のいずれか一面に保護フィルム層が位置し、他の一面に離型フィルム層が位置していてもよい。
【００１３】
本実施例において、（ｃ）ステップは、偏光板の両面のいずれか一面が向く第１方向、または他の一面が向く第２方向に沿って偏光板を移動させることができる。
【００１４】
本実施例において、（ｅ）ステップは、偏光板を第１方向に移動させる間に測定された摩擦力の値と、偏光板を第２方向に移動させる間に測定された摩擦力の値との差を算出するステップを含むことができる。
【００１５】
本実施例において、（ｅ）ステップは、ガイド部上に偏光板の粘着剤が流出したか否かを確認するステップを含み、偏光板の粘着剤が流出した場合の摩擦力の情報と、偏光板の粘着剤が流出しない場合の摩擦力の情報とに基づいて偏光板の粘着剤の流出の有無を判別できる判別基準を導出することができる。
【発明の効果】
【００１６】
本発明の実施例による偏光板の粘着剤の流出の有無または流出の程度の定量化方法は、粘着剤の流出に対する判別基準を導出することにより、実際の搬送設備上で偏光板を搬送させるに際して、判別基準に基づいて粘着剤が流出しないか、粘着剤の流出を最小化できる条件を適用して、粘着剤の流出に備えられる効果がある。
【００１７】
また、本発明の実施例において、偏光板の移動方向による摩擦力測定値の差は、肉眼で確認した粘着剤の流出の有無または流出の程度と優れた関連性を示していることから、粘着剤の流出の有無または流出の程度に対する正確度の高い判別基準を提供できる効果がある。
【図面の簡単な説明】
【００１８】
【図１】一般的な偏光板の積層構造を示す断面図である。
【図２】搬送設備上に粘着剤が流出する形態を簡略に示す図である。
【図３】本発明による偏光板の粘着剤の流出の有無または流出の程度を定量化するための方法を示すフローチャートである。
【図４】本発明による偏光板の粘着剤の流出の有無または流出の程度を定量化するために偏光板の移動状況を模式化した実験装置を示す図である。
【図５】偏光板提供部をガイド部に隣接させる方向への偏光板移動距離ごとの偏光板のカールの大きさを示す図である。
【図６】偏光板の移動方向による摩擦力測定実験の結果を例示的に示すグラフである。
【図７】本発明の実験例であって、カールの大きさ条件ごとに偏光板の移動方向による偏光板とガイド部との間に作用する摩擦力の測定結果を示すグラフである。
【図８】本発明の実験のために用意された偏光板の多様な裁断面の形状を示す図である。
【図９Ａ】本発明の実験例であって、偏光板のカールの大きさ条件および偏光板の裁断面の形状条件ごとに偏光板の移動方向による偏光板とガイド部との間に作用する摩擦力の測定結果を示すグラフである。
【図９Ｂ】本発明の実験例であって、偏光板のカールの大きさ条件および偏光板の裁断面の形状条件ごとに偏光板の移動方向による偏光板とガイド部との間に作用する摩擦力の測定結果を示すグラフである。
【図９Ｃ】本発明の実験例であって、偏光板のカールの大きさ条件および偏光板の裁断面の形状条件ごとに偏光板の移動方向による偏光板とガイド部との間に作用する摩擦力の測定結果を示すグラフである。
【図１０】図９Ａ〜９Ｃの測定結果を偏光板の移動方向による摩擦力測定値の差として示すグラフである。
【発明を実施するための形態】
【００１９】
以下、添付した図面を参照して、本発明を詳細に説明する。
【００２０】
図３は、本発明による偏光板の粘着剤の流出の有無または流出の程度を定量化するための方法を示すフローチャートであり、図４は、本発明による偏光板の粘着剤の流出の有無または流出の程度を定量化するために偏光板の移動状況を模式化した実験装置を示す図である。
【００２１】
本発明は、偏光板１００とガイド部２００との間に作用する摩擦力測定値から粘着剤１５１の流出判別基準を導出した偏光板の粘着剤の流出の有無または流出の程度の定量化方法に関し、図３を参照すれば、（ａ）粘着層１５０を含む偏光板１００を用意するステップＳ１００と、（ｂ）ガイド部２００に偏光板１００の一端部が接するように偏光板１００を提供するステップＳ２００と、（ｃ）ガイド部２００上で偏光板１００を移動させるステップＳ３００と、（ｄ）偏光板１００を移動させる間に偏光板１００とガイド部２００との間に作用する摩擦力を測定するステップＳ４００と、（ｅ）測定された摩擦力の値に基づいて偏光板１００の粘着剤１５１の流出の有無または流出の程度を判別できる判別基準を導出するステップＳ５００とを含んでなる。
【００２２】
本発明の実施例において、偏光板の粘着剤の流出の有無または流出の程度の定量化のための実験は、図４による実験装置を用いて実施された。
【００２３】
図４の実験装置は、実際の搬送設備１上での偏光板１００の移動を模式化したものであって、偏光板１００と、ガイド部２００と、ガイド部２００に偏光板１００を提供する偏光板提供部３００とを備えてなる。
【００２４】
図４を参照すれば、ガイド部２００の一面にはガラス２１０が形成され、偏光板１００の一端部は、ガイド部２００のガラス２１０上に提供される。偏光板提供部３００は、ガイド部２００と所定の間隔ｌだけ離隔して備えられ、上下方向（以下、「垂直方向」）または左右方向（以下、「水平方向」）に移動することができる。
【００２５】
また、偏光板提供部３００は、偏光板１００の他端部を支持するクランプ３１０を含むことができる。
【００２６】
以下、本発明の一実施例による偏光板の粘着剤の流出の有無または流出の程度の定量化のための方法についてより詳細に説明する。
【００２７】
（ａ）ステップ：粘着層を含む偏光板を用意するステップＳ１００
（ａ）ステップは、粘着層１５０を含む偏光板１００を用意するステップであって、例えば、図１のような構造の偏光板１００を用意することができる。
【００２８】
偏光板１００は、製造しようとするディスプレイの規格と実験規模を反映して、それに適した大きさで用意される。本実施例では、実験のために、６５インチのディスプレイパネルの規格（横１４３．９７ｃｍ×縦８０．９０ｃｍ）の比率を適用して、横１．８ｃｍ×縦１．０ｃｍ規格の偏光板１００を用意した。
【００２９】
また、粘着剤１５１の流出の程度は、偏光板１００の裁断面１７０の形状に応じて異なり得るので、本発明の実施例では、実験のために、多様な裁断面１７０の形状を有する偏光板１００を用意することができる。偏光板１００の裁断面１７０の形状は、偏光板１００の両面のいずれか一面と上記偏光板１００の裁断面１７０とのなす角度に応じて決定可能である。
【００３０】
例えば、本ステップにおいて、図８に示されるように、多様な裁断面１７０の形状（以下、「テーパ角度θ」）を有する偏光板１００を用意することができる。
【００３１】
テーパ角度θは、前述した偏光板１００の裁断面１７０の形状を決定するものであって、偏光板１００の両面のいずれか一面と偏光板１００の裁断面１７０とのなす角度を意味する。ここで、偏光板１００の両面のうちの一面は、保護フィルム層１１０であるか、離型フィルム層１６０であってもよいが、本明細書において、テーパ角度θは、偏光板１００の裁断面１７０と偏光板１００の両面のうちの離型フィルム層１６０とのなす角度を意味するものと定義する。
【００３２】
本発明は、実験のために、テーパ角度θが５１゜、７６゜、８５゜、９５゜、１０８゜、１３２゜（図８参照）、そして９０°の偏光板１００を用意した。
【００３３】
（ｂ）ステップ：ガイド部に偏光板の一端部が接するように偏光板を提供するステップＳ２００
（ｂ）ステップは、ガイド部２００に用意された偏光板１００の一端部が接するように偏光板１００を提供するステップであって、偏光板提供部３００をガイド部２００側に移動させて、ガイド部２００に偏光板１００の一端部が接するように偏光板１００を提供する。この時、ガイド部２００に提供される偏光板１００の一端部は、偏光板１００の裁断面１７０であり、偏光板１００の他端部は、クランプ３１０に固定された状態であってもよい。
【００３４】
ガイド部２００に提供される偏光板１００の一端部は固定されていないので、ガイド部２００に提供された時にたわみ現象（または垂れ下がり現象）が発生することがあるが、このような現象は偏光板１００の一端部にカールが形成される原因となり、たわみの程度に応じて偏光板１００から流出する粘着剤１５１の量が異なり得る。
【００３５】
図５は、偏光板提供部をガイド部に隣接させる方向への偏光板移動距離ごとの偏光板のカールの大きさを示す図であり、図５を参照すれば、偏光板１００がガイド部２００に提供された時に発生するたわみまたは垂れ下がり現象によって、偏光板１００の両面をなす保護フィルム層１１０または離型フィルム層１６０が押されるにつれ、粘着層１５０が露出して偏光板１００から粘着剤１５１が流出することがある。
【００３６】
一方、実際の設備上で偏光板１００がガイド部に提供される時、偏光板の他端部が固定されたクランプの位置に応じて偏光板とガイド部とのなす角度（以下、「カールの大きさｃ」）が異なり、カールの大きさｃに応じて偏光板１００両面の押される程度が異なってきて、粘着剤の流出の有無または流出の程度に影響を及ぼす。ここで、カールの大きさｃは、偏光板１００の一端部を含めて一端部から直線区間と取り扱える所定の領域とガイド部２００上の接触面とのなす角度で定義する。
【００３７】
そこで、本ステップは、上記のような偏光板搬送時の状況を模式化するためのものであって、偏光板１００の一端部に形成されたカールの大きさｃを調節するステップを含むことができる。
【００３８】
本発明の実施例では、偏光板１００の一端部に形成されたカールの大きさｃを１５゜、３０゜、および５０゜に調節しながらガイド部２００に偏光板１００を提供した。
【００３９】
（ｃ）ステップ：ガイド部上で偏光板を移動させるステップＳ３００
（ｃ）ステップは、ガイド部上で偏光板を移動させるステップであって、偏光板１００の一端部がガイド部２００に接するように提供された後、偏光板提供部３００を垂直方向に移動させることにより、ガイド部２００上で偏光板１００の両面のいずれか一面が向く第１方向、または他の一面が向く第２方向に沿って偏光板１００を移動させる。本実験において、偏光板提供部３００は、ガイド部２００上で偏光板１００を３００ｍｍ／ｍｉｎの速度で移動させるように設定した。
【００４０】
本発明の実施例において、偏光板１００の移動方向は、ガイド部２００を向く偏光板１００の一面の種類に応じて決定可能である。本発明の実施例では、第１方向は、偏光板１００の離型フィルム層１６０がガイド部２００を向く場合を、第２方向は、偏光板１００の保護フィルム層１１０がガイド部２００を向く場合を意味する。
【００４１】
実際に偏光板１００は搬送設備１上で第１方向または第２方向に移動可能なため、本発明による実験装置も、偏光板提供部３００を基準位置（Ｐ）から垂直方向に移動させながら、偏光板１００がガイド部２００上で第１方向または第２方向に移動できるように構成した。
【００４２】
（ｄ）ステップ：偏光板を移動させる間に偏光板とガイド部との間に作用する摩擦力を測定するステップＳ４００
（ｄ）ステップは、偏光板１００を移動させる間に偏光板１００とガイド部２００との間に作用する摩擦力を測定するステップであって、偏光板１００がガイド部２００に接した瞬間からガイド部２００上で移動する間に偏光板１００とガイド部２００との間に作用する摩擦力を測定した。摩擦力の測定は、偏光板１００の移動方向に沿ってそれぞれ行われた。
【００４３】
本実験では、摩擦力を測定するために、ＴＡ  ＸＴ  ＰＬＵＳ（Ｔｅｘｔｕｒｅ  ａｎａｌｙｚｅｒ）を用い、具体的には、偏光板提供部３００にＴＡ  ＸＴ  ＰＬＵＳ（Ｔｅｘｔｕｒｅ  ａｎａｌｙｚｅｒ）を設けて偏光板提供部３００が３００ｍｍ／ｍｉｎの移動速度で移動する時、ＴＡ  ＸＴ  ＰＬＵＳ（Ｔｅｘｔｕｒｅ  ａｎａｌｙｚｅｒ）にかかる力を測定した。
【００４４】
本実験で測定された摩擦力の値の単位はｇｆ／ｃｍである。
【００４５】
（ｅ）ステップ：測定された摩擦力の値に基づいて偏光板の粘着剤の流出の有無または流出の程度を判別できる判別基準を導出するステップＳ５００
（ｅ）ステップは、測定された摩擦力の値に基づいて偏光板１００の粘着剤１５１の流出の有無または流出の程度を判別できる判別基準を導出するステップであって、（ｄ）ステップで測定された摩擦力の値から偏光板１００の粘着剤１５１の流出の有無または流出の程度を判別できる判別基準を導出した。
【００４６】
本ステップは、偏光板１００を第１方向に移動させる時に測定された摩擦力の値と、偏光板１００を第２方向に移動させる時に測定された摩擦力の値との差を算出するステップを含むことができる。この時、偏光板１００の移動方向を除いたテーパ角度θおよびカールの大きさｃは、同一の条件であってもよい。
【００４７】
一方、偏光板１００の移動方向が異なる場合、ガイド部２００には、互いに異なる偏光板１００の層、保護フィルム層１１０または離型フィルム層１６０が接するようになるが、保護フィルム層１１０と離型フィルム層１６０の摩擦系数は互いに異なるので、移動方向を除いたテーパ角度θおよびカールの大きさｃの条件が同一でも、測定された偏光板１００とガイド部２００との間の摩擦力の値は異なり得る。
【００４８】
したがって、偏光板１００の移動方向に沿った摩擦力の値に差があるからといって、偏光板１００から粘着剤１５１が流出したと見なされず、摩擦力の値の差が実際に粘着剤１５１の流出によって発生したのか、別途のステップにより確認する必要がある。
【００４９】
そこで、本ステップは、ガイド部２００上に偏光板１００の粘着剤１５１が流出したか否かを確認するステップをさらに含んでもよいし、このステップにより、偏光板１００の粘着剤１５１が流出した場合の摩擦力の情報と、偏光板１００の粘着剤１５１が流出しない場合の摩擦力の情報とに基づいて偏光板１００の粘着剤１５１の流出の有無を判別できる判別基準を導出することができる。
【００５０】
ガイド部２００上に偏光板１００の粘着剤１５１が流出したか否かを確認する方法には多様な方法があり得、本発明の実施例では、肉眼で確認する方法による。
【００５１】
本発明の実施例では、偏光板１００が提供されるガイド部２００の一面にガラス２１０を形成して、肉眼で容易に粘着剤１５１の流出の有無を確認できるようにした。
【００５２】
図６は、偏光板の移動方向による摩擦力測定実験の結果を例示的に示すグラフである。
【００５３】
図６を参照すれば、偏光板１００の移動方向によって互いに異なる大きさの摩擦力の値が測定されたことを確認することができる。本グラフにおいて、Ａ区間は、偏光板１００を第１方向に移動させた場合の運動摩擦力を示し、Ｂ区間は、偏光板１００を第２方向に移動させた場合の運動摩擦力を示す。
【００５４】
本グラフにおいて、摩擦力の値が０の区間は、偏光板１００に対して外力が加えられる前を意味し、摩擦力の大きさが増加する区間は、偏光板１００の静止摩擦力を示す区間で、この区間の摩擦力の大きさは、つまり、偏光板１００に対して加えられる外力の大きさと同一であると考えられる。
【００５５】
本グラフにおいて、Ａ区間は、Ｂ区間より摩擦力の値がさらに大きく測定されたが、このような摩擦力の値の差は、偏光板１００の移動方向による接触摩擦力の差によるか、偏光板１００の移動方向による接触摩擦力および粘着剤１５１の流出によるものであってもよい。
【００５６】
本発明の実施例では、前述のように、偏光板１００の移動方向による摩擦力の値の差を算出した後、粘着剤１５１の流出の有無を確認するステップを追加的に経ることで、摩擦力の値の差が実際に粘着剤１５１の流出によるかを確認した。
【００５７】
以下、図７〜図１０を参照して、本発明による実験の結果について説明する。
【００５８】
図７は、本発明の実験例であって、カールの大きさごとに偏光板の移動方向による偏光板とガイド部との間に作用する摩擦力の測定結果を示すグラフであり、図８は、本発明の実験のために用意された偏光板の多様な裁断面の形状を示す図であり、図９Ａ〜９Ｃは、本発明の実験例であって、偏光板のカールの大きさ条件および偏光板の裁断面の形状条件ごとに偏光板の移動方向による偏光板とガイド部との間に作用する摩擦力の測定結果を示すグラフであり、図１０は、図９Ａ〜９Ｃの測定結果を偏光板の移動方向による摩擦力測定値の差として示すグラフである。
【００５９】
以下に説明する本発明で実施した実験で用いた偏光板１００のスペックは表１の通りである。
【００６０】
【表１】
2021516371.tif 000003
【００６１】
上記表中、上部支持体層（ＴＡＣ）は、機能性コーティング層（ＡＳＧ５）を含む厚さで、本実験では、上部支持体層（ＴＡＣ）６０μｍ、機能性コーティング層４μｍの厚さである偏光板を用いた。一方、テーパ角度θおよびカールの大きさｃは変更しながら実施した。図７は、テーパ角度θが９０゜の偏光板１００に対してカールの大きさｃをそれぞれ１５゜、３０゜、５０゜に調節しながら摩擦力の値を測定した結果に関するグラフであり、実験の結果は下記表２から確認することができる。
【００６２】
【表２】
2021516371.tif 000004
【００６３】
摩擦力の流出の有無の判別基準を導出するために、まず、偏光板１００の一端部に形成されるカールの大きさｃ条件を表２のように変更しながら偏光板１００の移動方向による摩擦力の値Ａ、Ｂをそれぞれ測定した後、測定された摩擦力の値の差（｜Ａ−Ｂ｜）を算出した。算出された摩擦力の値の差（｜Ａ−Ｂ｜）は、偏光板１００のカールの大きさｃが１５゜および３０゜の場合、それぞれ５．７および５．２と類似しており、カールの大きさｃが５０゜の場合には、３１．７と偏光板１００の移動方向による摩擦力の値の差がやや大きくなった。
【００６４】
一方、摩擦力の値の差（｜Ａ−Ｂ｜）を算出した後、実際に偏光板１００からガイド部２００のガラス２１０上に粘着剤１５１が流出したか否かを確認した。その結果、カールの大きさｃが１５゜および３０゜の場合には、ガラス２１０上に粘着剤１５１が流出しておらず、カールの大きさｃが５０゜の場合には、粘着剤１５１の流出が発生したことが確認された。
【００６５】
表２の実験結果から、テーパ角度θが９０゜の偏光板１００の場合、摩擦力の値の差（｜Ａ−Ｂ｜）が少なくとも下記＜式１＞の範囲を満足する時、偏光板１００から粘着剤１５１が流出しないことが分かる。
＜式１＞
０≦｜Ａ−Ｂ｜＜３１．７
【００６６】
一方、図９Ａ〜９Ｃおよび図１０は、カールの大きさｃおよびテーパ角度θを変更しながら図７と同様の実験を実施した結果を示すグラフであって、図９Ａ〜９Ｃおよび図１０による実験結果は下記表２〜表４から確認することができる。
【００６７】
【表３】
2021516371.tif 000005
【００６８】
【表４】
2021516371.tif 000006
【００６９】
【表５】
2021516371.tif 000007
【００７０】
テーパ角度θおよびカールの大きさｃを変更しながら偏光板１００の移動方向による摩擦力の値を測定した後、偏光板１００の移動方向による摩擦力の値の差（｜Ａ−Ｂ｜）を算出し、ガラス２１０上の粘着剤１５１の流出の有無を確認した。表３の場合、テーパ角度θが５１゜および１０８゜の偏光板１００は、表２の実験結果よりも、偏光板１００の移動方向による摩擦力の値の差（｜Ａ−Ｂ｜）が小さく算出され、実際に肉眼でもガラス２１０上に粘着剤１５１の流出が確認されなかった。また、偏光板１００の移動方向による摩擦力の値の差（｜Ａ−Ｂ｜）が１３と算出されたテーパ角度θが８５゜の偏光板１００の場合にも、ガラス２１０上に粘着剤１５１が流出しないことが明らかになった。一方、テーパ角度θが７６゜、９５゜、および１３２゜の偏光板１００は、粘着剤１５１が流出したことが確認された。
【００７１】
表３の実験結果によれば、摩擦力の値の差（｜Ａ−Ｂ｜）が少なくとも下記＜式２＞の範囲を満足する時、偏光板１００から粘着剤１５１が流出しないことが分かる。
＜式２＞
０≦｜Ａ−Ｂ｜＜２０．５
【００７２】
表４に関して、偏光板１００の移動方向による摩擦力の値の差（｜Ａ−Ｂ｜）が１５．７と算出されたテーパ角度θが７６゜の偏光板１００の場合、肉眼での確認結果、ガラス２１０上に粘着剤１５１は流出しないことが明らかになった。
【００７３】
表５によれば、テーパ角度θが７６゜、８５゜、および１３２゜の偏光板１００の場合には、肉眼上、粘着剤１５１が流出しないことが確認され、テーパ角度θが５１゜、９５゜、および１０８゜の場合には、粘着剤１５１の流出が発生したことが確認された。
【００７４】
本発明の実施例による実験を繰り返し実施した結果、どのようなテーパ角度θおよびカールの大きさｃ条件でも偏光板１００の移動方向による摩擦力の値の差が下記式３を満足する場合には、偏光板１００から粘着剤１５１が流出しないことが確認された。
【００７５】
したがって、＜式３＞は、本発明の実施例により導出された偏光板１００の粘着剤１５１の流出の有無の判別基準に相当することができる。
＜式３＞
０＜｜Ａ−Ｂ｜≦２０
【００７６】
一方、本実施例において、粘着剤１５１の流出の程度は、摩擦力の差（｜Ａ−Ｂ｜）に比例すると見なされることから、摩擦力の差（｜Ａ−Ｂ｜）が大きいほど、当該条件で偏光板１００の移動時に粘着剤１５１の流出が多く生じたと考えられる。
【００７７】
以上説明したように、本発明の実施例による偏光板の粘着剤の流出の有無または流出の程度の定量化方法は、粘着剤１５１の流出に対する判別基準を導出することにより、実際の搬送設備１上で偏光板１００を搬送させるに際して、判別基準に基づいて粘着剤１５１が流出しないか、粘着剤１５１の流出を最小化できる条件を適用して、粘着剤１５１の流出に備えられる効果がある。
【００７８】
また、本発明の実施例において、偏光板１００の移動方向による摩擦力測定値の差は、肉眼で確認した粘着剤１５１の流出の有無または流出の程度と優れた関連性を示していることから、粘着剤１５１の流出の有無または流出の程度に対する正確度の高い判別基準を提供できる効果がある。
【００７９】
たとえ、本発明が上記の言及された望ましい実施例に関して説明されたが、発明の要旨と範囲を逸脱することなく多様な修正や変形をすることが可能である。したがって、添付した特許請求の範囲には、本発明の要旨に属する限り、かかる修正や変形を含むであろう。
【符号の説明】
【００８０】
１００  偏光板
１１０  保護フィルム層
１２０  上部支持体層
１３０  偏光子層
１４０  下部支持体層
１５０  粘着層
１５１  粘着剤
１６０  離型フィルム層
１７０  裁断面
２００  ガイド部
２１０  ガラス
３００  偏光板提供部
３１０  クランプ
【図１】
2021516371.tif 000008
【図２】
2021516371.tif 000009
【図３】
2021516371.tif 000010
【図４】
2021516371.tif 000011
【図５】
2021516371.tif 000012
【図６】
2021516371.tif 000013
【図７】
2021516371.tif 000014
【図８】
2021516371.tif 000015
【図９Ａ】
2021516371.tif 000016
【図９Ｂ】
2021516371.tif 000017
【図９Ｃ】
2021516371.tif 000018
【図１０】
2021516371.tif 000019
【国際調査報告】
2021516371.tif 000020
2021516371.tif 000021
2021516371.tif 000022
2021516371.tif 000023